(57)【要約】【課題】記録層を複数積層してなる多層型ホログラムを備えた情報記録媒体において、汚れの付着等による影響を低減することができる情報記録媒体を提供する。【解決手段】表面に形成された凹凸パターンからの漏れ光を検出することにより光学的に情報再生が可能な記録層を、複数積層した多層型ホログラムからなる情報記録媒体であって、記録層に対して光を入射する側に保護部を設けたことを特徴とする。【選択図】    図１
2004348890.tif 000002
【特許請求の範囲】
【請求項１】
表面に形成された凹凸パターンからの漏れ光を検出することにより光学的に情報再生が可能な記録層を、複数積層した多層型ホログラムからなる情報記録媒体であって、
前記記録層に対して光を入射する側に保護部を設けたことを特徴とする情報記録媒体。
【請求項２】
前記保護部は、記録層と接触した面の反対側の表面に凸部あるいは凹部が形成されていることを特徴とする請求項１に記載の情報記録媒体。
【請求項３】
表面に形成された凹凸パターンからの漏れ光を検出することにより光学的に情報再生が可能な記録層を、複数積層した多層型ホログラムからなる情報記録媒体を情報再生装置に対して位置決めする位置決め方法であって、
前記記録層と接触した面の反対側の表面が凸部あるいは凹部に形成されている保護層が、前記情報再生装置側の透明部と勘合させたことを特徴とする位置決め方法。
【発明の詳細な説明】
【０００１】
【発明の属する技術分野】
本発明は、光学的に情報再生が可能な記録層を複数積層した多層型ホログラムからなる情報記録媒体及び位置決め方法に関するものである。
【０００２】
【従来の技術】
従来より、光学的に情報再生が可能なホログラムを形成した情報記録媒体が知られている（例えば、特許文献１参照）。
【０００３】
【特許文献１】
特開２０００−１４９３２３号公報
【０００４】
【発明が解決しようとする課題】
しかしながら、従来の情報記録媒体は、光を入力する端面が表に出ているため、入射光を入れる場合には簡単に制御して光を集光して、記録層に導くことができる一方、記録層の端面にほこりやちりなどの汚れが付くと入射光の入射効率が低下するという問題がある。
また、端面に記録層がある場合には、媒体の端面の位置決めが難しいという問題もある。
【０００５】
本発明は、このような事情に鑑みてなされたもので、記録層を複数積層してなる多層型ホログラムを備えた情報記録媒体において、汚れの付着等による影響を低減することができる情報記録媒体及び位置決め方法を提供することを目的とする。
【０００６】
【課題を解決するための手段】
請求項１に記載の発明は、表面に形成された凹凸パターンからの漏れ光を検出することにより光学的に情報再生が可能な記録層を、複数積層した多層型ホログラムからなる情報記録媒体であって、前記記録層に対して光を入射する側に保護部を設けたことを特徴とする。
【０００７】
請求項２に記載の発明は、前記保護部は、記録層と接触した面の反対側の表面に凸部あるいは凹部が形成されていることを特徴とする。
【０００８】
請求項３に記載の発明は、表面に形成された凹凸パターンからの漏れ光を検出することにより光学的に情報再生が可能な記録層を、複数積層した多層型ホログラムからなる情報記録媒体を情報再生装置に対して位置決めする位置決め方法であって、前記記録層と接触した面の反対側の表面が凸部あるいは凹部に形成されている保護層が、前記情報再生装置側の透明部と勘合させたことを特徴とする。
【０００９】
【発明の実施の形態】
以下、本発明の一実施形態による情報記録媒体及び位置決め方法を図面を参照して説明する。
＜第１の実施形態＞
図１は同実施形態の構成を示す図である。符号１は、表面に形成された凹凸パターンからの漏れ光を検出することにより光学的に情報再生が可能な記録層を、複数積層した多層型ホログラムからなる情報記録媒体である。符号１１は、図示しないレーザ光源から発せられたレーザ光である。符号１２は、レーザ光１１を情報記録媒体１上の導波路部１３に集光する対物レンズである。符号１４は、情報記録媒体１からの光を検出して電気信号に変換するＣＣＤ等のエリアセンサからなる２次元光検出器である。情報記録媒体１は、光学的に情報再生が可能な導波路部（多層型ホログラム）１３を備えている。大容量の再生専用のメモリである導波路部（記録層）１３は、厚さ方向に複数（例えば１０〜５００層程度）積層された構造を有している。再生光を導波路部１３内に水平に入射させるために、各導波路部１３の少なくとも１つの側壁は、図１に示すように、外側に入射光保護層１５が形成されている。
【００１０】
そして、各導波路部１３の表面には、光検出位置を考慮したフーリエ変換光学を用いて計算された、記録データを表す凹凸パターンが形成されている。各導波路部１３は、転写技術を用いて大量に生産することができる。このような導波路部１３を複数積層することにより、大量のデータを蓄積することができる。情報読出装置（図示せず）は、情報記録媒体１へレーザ光１１を照射して、導波路部１３からの漏れ光を検出することにより、多層型ホログラムの所望の導波路部１３から情報を読み出す。各導波路部１３は、水平方向に光を伝搬させる厚さ０．５〜２μｍ程度の平面導波路（コア）から構成され、導波路部１３の材料としては、紫外線を照射して硬化させる紫外線硬化樹脂等が好例であり、光ディスク等に使用されているポリカーボネート（Ｐｏｌｙ  Ｃａｒｂｏｎａｔｅ；ＰＣ）あるいはポリメチルメタクリレート（Ｐｏｌｙ  Ｍｅｔｈｙｌ  Ｍｅｔｈａｃｒｙｌａｔｅ；ＰＭＭＡ）も好適である。これらの材料を単独あるいは組み合わせて導波路部１３を形成する。
【００１１】
各導波路部１３は、導波路部１３よりも屈折率が低い厚さ１０μｍ程度のクラッドによって上下から挟まれている。導波路部１３とクラッドの材質（特に屈折率）によって回折する光の量を制御することができるが、回折効率が０．０２〜５％になるようにすることが望ましい。
【００１２】
入射光保護部１５は、情報記録媒体１のレーザ光１１の入射側に設けられており、レーザ光１１が入射光保護部１５に入射される部分で広がっており、入射保護層１５の表面に汚れが付着しても、影響を受ける光は一部分であり、導波路部１３に入射する光量変化が少ない。そのため、入射光保護部１５を設けることで導波路部１３に安定した光入射を実現することが出来る。
【００１３】
また、入射光保護部１５に接するようにすべての導波路部１３を形成されているので、導波路部１３の光入射位置が縦方向に整列できるという利点もある。
このような情報記録媒体１に記録された情報を再生するには、各導波路部１３に光を正確に導くことが重要となる。このためには、まず光源及び対物レンズ１２を情報記録媒体１の端部に移動させ、複数の導波路部１３のうち所望の導波路部１３に対して、対物レンズ１２によって集光したレーザ光１１を照射する。これにより、レーザ光１１は、再生対象となる導波路部１３の端面から、この導波路部１３内を水平に伝搬する。導波路部１３内では、光が伝搬すると共に、導波路部１３の表面に形成された凹凸パターンより光が漏れ出す。この漏れ光を情報記録媒体１の上に設置した２次元光検出器１４の各検出素子（画素）で検出して、データの再生を行う。
【００１４】
＜第２の実施形態＞
次に、図２を参照して、第２の実施形態の構成を説明する。第２の実施形態における構成が、第１の実施形態の構成と異なる点は、情報記録媒体１の端面に光の入射方向の両面に平面が形成された入射保護部１５を形成したのに対して、第２の実施形態では、半円筒状のシリンドリカルレンズを情報記録媒体２の端面に沿って配置して、対物レンズ機能を持った入射保護部２５を設けた点である。この入射保護部２５として、ホログラム型の薄膜レンズを用いることが好例である。さらに、この対物レンズの前に位置決め用の対物レンズ（図示せず）を設けて、２つのレンズで入射するようにして、媒体ごとに集光特性の補正が出来るようにするようにしてもよい。これにより、情報再生装置側に対物レンズを設ける必要が無くなり、情報再生装置の構成を簡単にすることができる。
【００１５】
＜第３の実施形態＞
次に、図３を参照して、第３の実施形態の構成を説明する。図３は、情報記録媒体１を情報再生装置側で固定する構成を示しており、情報記録媒体１を固定するために、情報再生装置に固定部３６を設けた。この場合、情報記録媒体１の入射保護部は情報再生装置の対物レンズ３２の平らな面に接することで、対物レンズ３２の正確な位置に情報記録媒体１の導波路部の端面を位置付けることが出来る。したがって、情報記録媒体１を固定部３６に挿入するだけで、レーザ光３１の焦点位置に情報記録媒体の導波路部の端面を位置付けることが出来るので、信号の再生が簡単になる手段を提供することが出来る。
【００１６】
＜第４の実施形態＞
次に、図４を参照して、第４の実施形態を説明する。図４は、情報記録媒体２を情報再生装置側で固定する構成を示しており、情報記録媒体２を固定するために、情報再生装置に固定部４６を設けた。この場合、情報記録媒体２の入射保護部は装置の対物レンズ４２の凹面に接することで、対物レンズ４２の正確な位置に情報記録媒体２の導波路部の端面を位置付けることが出来る。したがって、情報記録媒体２を固定部４６に挿入するだけで、導波路部の積層方向（図４の紙面の上下方向）の光学的な位置決めを精密に行うことができて、レーザ光４１の焦点位置に情報記録媒体２の導波路部の端面を位置付けることが出来るため、情報記録媒体２の導波路部の位置が安定し、信号の再生を簡単に行うことが出来る。また、この場合、情報記録媒体２に形成された入射光保護部の形状は、凸面だけでなく凹面としてもよく、それにあわせて、情報再生装置側の対物レンズ４２の形状を設計すればよい。また、円筒状のレンズ形状だけでなく、ホログラムレンズとしてもよい。
【００１７】
＜第５の実施形態＞
次に、図５を参照して、第５の実施形態を説明する。図５は、情報記録媒体２を情報再生装置側で固定する構成を示しており、情報記録媒体２を固定するために、情報再生装置に固定部５６を設けた。この場合、情報記録媒体２の入射保護部は情報再生装置の位置決め部材５７の凹面に接することで、ドライブ等の装置に対して正確な位置に情報記録媒体２の導波路部の端面を位置付けることが出来る。したがって、情報記録媒体２を固定部５６に挿入するだけで、導波路部の積層方向（図５の紙面の上下方向）の光学的な位置決めを精密に行うことができる。また、対物レンズ５２を用いてレーザ光５１の焦点位置に情報記録媒体の導波路部の端面を位置付けることが出来るので、情報記録媒体２の導波路部の位置が安定し、信号の再生を簡単に行うことが出来る。また、この場合、情報記録媒体２に形成された入射光保護部の形状は、円筒状のレンズ形状だけでなく、非対称な形としてもよく、下がクサビ状になっていれば、媒体を挿入する力で下側の装置固定部５６に安定して接触固定することが出来る。これによって、繰り返し挿入しても安定して情報記録媒体２を同じ位置に位置決めすることが出来る。
【００１８】
【発明の効果】
以上説明したように、この発明によれば、表面に形成された凹凸パターンからの漏れ光を検出することにより光学的に情報再生が可能な記録層を、複数積層してなる多層型ホログラムからなる情報記録媒体において、記録層に光を入射する側に保護部を設けていることにより、ちりやほこり等の汚れ等の外乱に対する影響を低減することができ、情報記録媒体の信頼性を向上させることができる。また、保護部にレンズを構成することによって、再生装置側にレンズが不要となり、情報再生装置の構成を簡単にすることできるという効果が得られる。
また、情報再生装置側に情報記録媒体の保護部形状に対応した光学部材を設けることにより、情報記録媒体を装置に挿入した場合のフォーカス方向（図面の左右方向）の媒体位置決めを正確に行うことが出来る。また、情報再生装置側の部材を平面で無くすることにより、導波路部の積層方向（図面の上下方向）に繰り返し位置決めできるようになるため、情報再生時の漏れ光を２次元光検出器で確実に導くことができるという効果が得られる。
【図面の簡単な説明】
【図１】本発明の第１の実施形態の構成を示す図である。
【図２】本発明の第２の実施形態の構成を示す図である。
【図３】本発明の第３の実施形態の構成を示す図である。
【図４】本発明の第４の実施形態の構成を示す図である。
【図５】本発明の第５の実施形態の構成を示す図である。
【符号の説明】
１、２…情報記録媒体、１１、２１、３１、４１、５１…レーザ光、１２、３２、４２、５２…対物レンズ、１３…導波路、１４…２次元光検出器、１５…入射光保護部
【図１】
2004348890.tif 000003
【図２】
2004348890.tif 000004
【図３】
2004348890.tif 000005
【図４】
2004348890.tif 000006
【図５】
2004348890.tif 000007